(57)【特許請求の範囲】
【請求項１】
電源と、導電率の測定部を含む水質測定手段と、水質測定データのメモリー手段を有する演算部とを備えた水質測定装置において、前記演算部で演算された水質測定データを時系列に記録するデータロガーを設けるとともに、前記演算部からデータロガーへの信号回路には、前記導電率の測定部が水没した際に、前記データロガーによる測定データのロギングを開始させ、かつ、前記導電率の測定部が水面上に引き上げられた際、データロギングを終了させるスイッチが設けられていることを特徴とする水質測定装置。
【請求項２】
電源と、導電率の測定部を含む水質測定手段と、水質測定データのメモリー手段を有する演算部とを備えた水質測定装置において、前記演算部で演算された水質測定データを時系列に記録するデータロガーを設けるとともに、このデータロガーと、前記電源と、水質測定手段と、演算部とを、水質測定手段の測定部が水に晒されるように水密ケースに内蔵し、かつ、この水密ケースと水質測定データを表示するディスプレイ装置とを、水密ケースを吊り下げ保持する通信ケーブルによって連結する一方、前記演算部からデータロガーへの信号回路には、前記導電率の測定部が水没した際に、前記データロガーによる測定データのロギングを開始させ、かつ、前記導電率の測定部が水面上に引き上げられた際、データロギングを終了させるスイッチが設けられていることを特徴とする水質測定装置。
【請求項３】
前記水質測定手段の他に、少なくとも水質測定時の水深を測定する水深測定部を備えている請求項１または２に記載の水深測定装置。
【発明の詳細な説明】
【０００１】
【発明の属する技術分野】
本発明は、河川や湖沼、海などの水質調査や、養殖や液耕栽培における水質管理などに好適に用いられる水質測定装置に関するものである。
【０００２】
【従来の技術】
水質の測定対象としては、溶存酸素、導電率、酸化還元電位、水素イオン（以下、ｐＨ）、ｐＨ以外の各種イオン（塩化物イオンやフッ化物イオンなど）、濁度など多項目があり、併せて、測定時の水温や水深、更には、導電率を基にして演算される塩分濃度や密度の測定も行われる。
【０００３】
これらの測定を個々に専用の測定装置で行うことは、コスト的な問題に加えて作業が煩雑になることから、本出願人は既に、水質の基本的な指標である導電率と、この導電率を基にして演算される塩分濃度と、ｐＨと、濁度と、溶存酸素と、水温との合計六項目を同時に測定し、かつ、その測定値をメモリーできる水質測定装置を提案している。
【０００４】
この場合、所定水深での水質測定のために、水質測定装置の吊り下げ保持ケーブルに目盛りを付して、または、沈降用の錘を備えたメジャーを用意して、目視によって水深を確認するようにし、ｐＨ以外の各種イオンと酸化還元電位との測定に際しては、それ専用の装置を用意し、密度の測定に際しては密度計を用意して、それぞれの測定を行い、これらのデータとメモリー手段から呼び出した六項目のデータとを、それぞれ時系列的に関連させて、このデータを人為的にロギングしている。
【０００５】
【発明が解決しようとする課題】
しかし、上記の水質測定装置による六項目の測定と並行して、その測定時の水深と、ｐＨ以外の各種イオンや酸化還元電位などの測定を別途行ない、これらのデータと上記六項目のデータとを時系列的に関連させてロギングすることは非常に煩わしく、かつ、データのロギングに際して、そのデータの読み取りや記録ミスを生じる懸念があった。
【０００６】
そこで今般、上記した六項目の測定に加えて、酸化還元電位とｐＨ以外の各種イオンと水深の測定、更に、密度の測定を、１台で行える水質測定装置を開発したのであるが、この際、測定データをメモリーさせることで、各種データを時系列的に関連させる手間はなくなるのであるが、データのロギングに際して、データの読み取りや記録ミスが生じる懸念は依然として残るのであった。
【０００７】
【課題を解決するための手段】
本発明は、上記の不都合を解消した水質測定装置を提供することを目的としており、このために本発明が講じた技術的手段は、次の通りである。
【０００８】
即ち、第１発明による水質測定装置では、電源と、導電率の測定部を含む水質測定手段と、水質測定データのメモリー手段を有する演算部とを備えた水質測定装置において、前記演算部で演算された水質測定データを時系列に記録するデータロガーを設けるとともに、前記演算部からデータロガーへの信号回路には、前記導電率の測定部が水没した際に、前記データロガーによる測定データのロギングを開始させ、かつ、前記導電率の測定部が水面上に引き上げられた際、データロギングを終了させるスイッチが設けられている点に特徴がある。
【０００９】
第２発明による水質測定装置では、電源と、導電率の測定部を含む水質測定手段と、水質測定データのメモリー手段を有する演算部とを備えた水質測定装置において、前記演算部で演算された水質測定データを時系列に記録するデータロガーを設けるとともに、このデータロガーと、前記電源と、水質測定手段と、演算部とを、水質測定手段の測定部が水に晒されるように水密ケースに内蔵し、かつ、この水密ケースと水質測定データを表示するディスプレイ装置とを、水密ケースを吊り下げ保持する通信ケーブルによって連結する一方、前記演算部からデータロガーへの信号回路には、前記導電率の測定部が水没した際に、前記データロガーによる測定データのロギングを開始させ、かつ、前記導電率の測定部が水面上に引き上げられた際、データロギングを終了させるスイッチが設けられている点に特徴がある。
そして、第１発明及び第２発明のいずれの水質測定装置においても、前記水質測定手段の他に、少なくとも水質測定時の水深を測定する水深測定部を備えている。
【００１０】
第１及び第２発明のいずれの水質測定装置においても、各種の水質測定データがメモリーされ、また、導電率の測定部が水没したときのスイッチ動作に基づいて、水質測定データが自動的にデータロガーにロギング開始されるので、データの読み取りや記録ミスに繋がる人為的な煩わしい操作を一切不要にして、しかも、導電率の測定部が水面上に引き上げられたときのスイッチ動作に基づいてデータロギングが自動的に終了されるので、水質測定に全く不要な大気中でのデータロギングを一切伴わせないで、水質測定データのみをロギングさせることができる。
【００１１】
従って、必要に応じて、各種の水質測定データと水質測定時の水深測定データとを、正確に関連させた状態で呼び出せることはもとより、データロガーの情報をプリンターに入力させることで、その測定データをプリントすることが可能となる。
【００１２】
加えて、第２発明による場合は、水質測定データがディスプレイ装置に表示されるので、水質測定データをリアルタイムに確認することができる。
【００１３】
【発明の実施の形態】
以下、本発明の実施の形態を図面に基づいて説明する。図１は本発明の一実施の形態による水質測定装置の斜視図を示し、図２は水質測定装置のブロック構成図を示している。
【００１４】
これらの図において、図中の１はセンサ本体で、電源２と、メモリー手段３ａを備えた演算部３と、演算された測定データを時系列に記録するデータロガー４とを、耐圧構造の水密ケース５に内蔵して成る。
【００１５】
６Ａは水圧の検知に基づいて水深を測定する例えば圧力計による水深測定チップで、センサ本体１に埋設されている。６Ｂは導電率の測定チップで、その導電率に基づいて塩分濃度と密度とを演算するものであり、温度計７を一体に備えている。
【００１６】
６Ｃは濁度の測定チップ、６Ｄは溶存酸素の測定チップで、このうちの導電率測定チップ６Ｂと濁度測定チップ６Ｃとについては、６極タイプのコネクタ８Ａを介して、かつ、溶存酸素の測定チップ６Ｄについては、３極タイプのコネクタ８Ｂを介して、それぞれ取り外し可能にセンサ本体１に接続している。
【００１７】
６Ｅは比較電極とガラス電極とを複合させたｐＨの測定チップ、６Ｆは酸化還元電位の測定チップ、６ＧはｐＨ以外の例えば塩化物イオンの測定チップで、ｐＨ以外のイオン測定チップには、上記の塩化物イオンの測定チップ６Ｇの外に、フッ化物イオンの測定チップ６Ｈと、硝酸イオンの測定チップ６Ｉと、カルシウムイオンの測定チップ６Ｊと、シアンイオンの測定チップ６Ｋと、硫化物イオンの測定チップ６Ｌと、ヨウ素イオンの測定チップ６Ｍと、臭素イオンの測定チップ６Ｎと、銅イオンの測定チップ６Ｐと、カドミウムイオンの測定チップ６Ｑと、鉛イオンの測定チップ６Ｒと、チオシアンイオンの測定チップ６Ｓと、銀イオンの測定チップ６Ｔとがある。
【００１８】
これらの測定チップ６Ｇ〜６Ｔと、ｐＨ測定チップ６Ｅと、酸化還元電位の測定チップ６Ｆとは、信号回路用の２極にチップ識別用の２極を加えた４極タイプのコネクタ８Ｃを介して、互換性を持たせてセンサ本体１側のコネクタ部分に取り外し可能に接続しており、本発明でいうところの水質測定手段である上記測定チップ６Ａ〜６Ｔのいずれもが、水没状態で水に晒されるように、センサ本体１に接続される。
【００１９】
９はディスプレイ装置で、水質の測定データなどを表示するディスプレイ１０の他に、電源キー１１、機能キー１２、測定の開始・終了キー１３、校正キー１４、セレクトキー１５、アップダウンキー１６，１７などを備えており、このディスプレイ装置９とセンサ本体１とを、センサ本体１の吊り下げ保持を兼ねる防水タイプの通信ケーブル１８によって連結している。
【００２０】
上記構成の水質測定装置において、通信ケーブル１８を操ってセンサ本体１を水没させることで、導電率と、この導電率を基にして演算される塩分濃度と、ｐＨと、濁度と、溶存酸素と、水温との合計六項目の水質測定に加えて、ｐＨ以外の各種イオンと酸化還元電位と水深ならびに密度の測定を、高精度で行うことができる。
【００２１】
そして、水質の測定データをディスプレイ１０に表示させるので、水質測定データをリアルタイムに確認することができ、しかも、各種の水質測定データと水質測定時の水深測定データとを、正確に関連させてメモリー手段３ａにメモリーし、かつ、データロガー４にロギングさせるので、必要に応じて、各種の水質測定データと、その水質測定時の水深測定データとを、正確に関連させて呼び出すことができ、また、データロガーの情報をプリンターに入力させることで、その測定データをプリントすることができる。
【００２２】
ここで、データロガー４のロギング開始ならびに終了の操作を手作業で行ってもよいのであるが、この作業は非常に煩わしいだけでなく、その操作を失念したり誤ったりした場合は、必要な水質測定データがロギングされなかったり、水質測定に全く不要な大気中での測定データがロギングされたりする。
【００２３】
そこで本発明では、水質測定装置が水没している時にのみ、データロガー４がデータロギングを行うように構成したのであり、即ち、導電率測定チップ６Ｂの測定部が水没した際の出力を基にして、測定データがデータロガー４に入力されるように、データロガー４への信号回路にスイッチＳを設けて、導電率の測定チップ６Ｂが水面上に引き上げられた際には、データロガー４がデータロギングを終了するようにしたのである。
【００２４】
このように、データロガー４によるロギングの開始ならびに終了を、導電率測定チップ６Ｂの水没と引き上げとに関連させたことで、データロガー４に対する人為的な煩わしい操作を一切不要にして、しかも、水質測定に全く不要な大気中での測定データのロギングを一切伴わせないで、水質測定データのみをデータロガー４にロギングさせることができる。
【００２５】
尚、水質測定データをリアルタイムに表示させる必要がないならば、ディスプレイ装置９を省略し、かつ、高価な防水タイプの通信ケーブル１８に代えて、これをワイヤーやチエーンなどの吊り下げ保持具とし、必要な水質測定後に水質測定装置を持ち帰って、メモリー手段にメモリーされた測定データを呼び出したり、データロガーの情報をプリンターに入力させて、ロギングさせた測定データをプリントさせたりすればよいのである。
【００２６】
【発明の効果】
以上説明したように、第１及び第２発明のいずれの水質測定装置においても、各種の水質測定データと、その水質測定時の水深測定データとを、正確に関連させてメモリー手段から呼び出したり、データロガーの情報をプリンターに入力させることで、プリントしたりすることができ、特に第２発明の水質測定装置にあっては、測定データをリアルタイムに視覚確認することができる。
【００２７】
しかも、導電率測定部を水没させた際、データロガーによる測定データのロギングを自動的に開始させ、導電率測定部を水面上へ引き上げた際、データロギングを自動的に終了させるので、データロガーに対する人為的な煩わしい操作を一切不要にして、しかも、水質測定に全く不要な大気中でのデータロギングを一切伴わせないで、水質測定データのみをロギングさせることができる。
【図面の簡単な説明】
【図１】  水質測定装置の斜視図である。
【図２】  水質測定装置のブロック構成図である。
【符号の説明】
２…電源、３ａ…メモリー手段、３…演算部、４…データロガー、６Ａ〜６Ｔ…水質測定手段（測定チップ）、１０…ディスプレイ装置、１８…通信ケーブル（吊り下げ保持具）。
【図１】
0004068700.tif 000002
【図２】
0004068700.tif 000003